(57)【特許請求の範囲】
【請求項１】
被印刷媒体に少なくともコードの印刷を行うプリンタであって、
コードの読み取りを行うハンディスキャナに対して充電を行う充電部と、
当該プリンタの電源のＯＮ／ＯＦＦを切り替える電源スイッチと、
を備え、
前記充電部は、前記電源スイッチにより当該プリンタの電源がＯＦＦにされた状態で、前記ハンディスキャナの検出があった場合に、前記電源スイッチを介さずに接続された電源から通電され、前記ハンディスキャナに対して接点を用いずに充電を行うとともに、
前記通電が開始されるとタイマーの計時を開始し、前記通電が開始されてから所定時間を経過した場合に、前記通電を停止する、
プリンタ。
【発明の詳細な説明】
【技術分野】
【０００１】
本発明は、バーコード等の印刷を行うプリンタに関するものである。
【背景技術】
【０００２】
バーコードや二次元コード等のコードを印刷するプリンタが知られている。これらのプリンタには、ハンディスキャナを接続してデータを入力するものがある（特許文献１参照）。
【先行技術文献】
【特許文献】
【０００３】
【特許文献１】特開平１１−２６３０４５号公報
【発明の概要】
【発明が解決しようとする課題】
【０００４】
しかし、特許文献１のハンディスキャナは、プリンタに有線接続されて、プリンタから電力の供給を受けていた。したがって、特に、プリンタが大型な場合には、ハンディスキャナが使用可能な範囲が限定されてしまうという問題があった。
【０００５】
また、ハンディスキャナをバッテリー内蔵とすれば、ハンディスキャナの使用可能な範囲を広げることができるが、乾電池式であると、電池の交換が煩雑であった。また、ハンディスキャナのバッテリーを充電式とすると、充電器が別途必要であり、その設置場所も用意する必要があり、利便性が悪かった。
【０００６】
本発明の課題は、広範囲で使用可能なハンディスキャナを簡単に充電できるプリンタを提供することである。
【課題を解決するための手段】
【０００７】
本発明は、以下のような解決手段により、前記課題を解決する。
請求項１の発明は、被印刷媒体に少なくともコードの印刷を行うプリンタであって、コードの読み取りを行うハンディスキャナに対して充電を行う充電部と、  当該プリンタの電源のＯＮ／ＯＦＦを切り替える電源スイッチと、を備え、前記充電部は、前記電源スイッチにより当該プリンタの電源がＯＦＦにされた状態で、前記ハンディスキャナの検出があった場合に、前記電源スイッチを介さずに接続された電源から通電され、前記ハンディスキャナに対して接点を用いずに充電を行うとともに、前記通電が開始されるとタイマーの計時を開始し、前記通電が開始されてから所定時間を経過した場合に、前記通電を停止する、プリンタである。
【発明の効果】
【０００８】
本発明によれば、プリンタにハンディスキャナの充電機能を設けたので、広範囲で使用可能なハンディスキャナを簡単に充電できる。また、プリンタの電源スイッチをＯＦＦした状態であっても、充電を行えるので、プリンタの使用状況を気にせずに、必要なときに簡単に充電を開始できる。
【図面の簡単な説明】
【０００９】
【図１】本発明によるプリンタの実施形態を示す概略正面図である。
【図２】本発明によるプリンタの実施形態を示す概略側面図である。
【図３】本発明によるプリンタの実施形態を示す概略斜視図である。
【図４】ハンディスキャナ２００を示す概略図である。
【図５】プリンタ１００の内部構成を示す概略図である。
【図６】制御部１６０の概略を示すブロック図である。
【図７】電源回路１７０の概要を示す図である。
【図８】給電制御回路１８０の概要を示す図である。
【発明を実施するための形態】
【００１０】
以下、本発明を実施するための最良の形態について図面等を参照して説明する。
【００１１】
（実施形態）
図１は、本発明によるプリンタの実施形態を示す概略正面図である。
図２は、本発明によるプリンタの実施形態を示す概略側面図である。
図３は、本発明によるプリンタの実施形態を示す概略斜視図である。
なお、図１から図３を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１２】
本実施形態のプリンタ１００は、後述するラベル連続体１を被印刷媒体として、バーコードを含む各種情報の印刷を行うプリンタである。
プリンタ１００は、正面に、排出口１０１と、入力部１２１と、表示部１１０と、ＬＥＤ１２２と、電源スイッチ１３０と、を備えている。
【００１３】
排出口１０１は、後述するサーマルヘッド１５１により印刷されたラベル連続体１が排出される開口部である。
【００１４】
入力部１２１は、操作スイッチ等により構成されており、プリンタ１００を使用する使用者が印刷枚数等の入力や、印刷開始指示等の各種入力を行うときに操作される。
【００１５】
表示部１１０は、数値や文字を表示する小型の表示装置であり、印刷枚数の表示や、エラー時の表示等を行う。
【００１６】
ＬＥＤ１２２は、点灯、点滅、消灯等を切り替えたり、発光色を切り替えたりして、プリンタ１００の状態等を表示する。
【００１７】
電源スイッチ１３０は、プリンタ１００の操作や印刷動作を行わないときに、電源をＯＦＦ（切）し、また、プリンタ１００の操作や印刷動作を行うときに、電源をＯＮ（入）するために、使用者が操作する機械的なＯＮ／ＯＦＦ切り替えスイッチである。
【００１８】
また、プリンタ１００は、側面に、充電部１４０を備えている。
充電部１４０は、台座部１４１と、検出スイッチ１４２と、一次コイル１４３とを備えており、ハンディスキャナ２００（図１及び図４参照）が着脱可能に構成されている。本実施形態の充電部１４０は、ここに装着されたハンディスキャナ２００に対して無接点で充電を行う無接点充電部である。
【００１９】
台座部１４１は、プリンタ１００の側面に突出して設けられており、ハンディスキャナ２００を装着可能な凹部が形成されている。
【００２０】
検出スイッチ１４２は、台座部１４１の上面において上下方向に進退可能な状態で突出して設けられている。検出スイッチ１４２は、台座部１４１にハンディスキャナ２００が装着されると、下方へ待避して、ハンディスキャナ２００が装着されたことを検出する。また、検出スイッチ１４２は、台座部１４１からハンディスキャナ２００が取り外されると、上方へ突出して、ハンディスキャナ２００が取り外されたことを検出する。
【００２１】
一次コイル１４３は、プリンタ１００の側面に沿ってプリンタ１００内に設けられている。
図４は、ハンディスキャナ２００を示す概略図である。
ハンディスキャナ２００内には、二次コイル２１０と、不図示の充電回路及び充電池が設けられている。ハンディスキャナ２００は、バーコードを読み取る読み取り部を備えており、例えば、商品に添付されているバーコードを読み取って、その情報をプリンタ１００へ通信により送ることができる。ハンディスキャナ２００からバーコードの情報を受け取ったプリンタ１００は、ハンディスキャナ２００が読み取ったバーコードと同じバーコードを印刷したり、適宜情報を加工（例えば、価格改定等）して新たなバーコードを印刷したりできる。
図１に戻って、一次コイル１４３は、台座部１４１に装着されたハンディスキャナ２００内の二次コイル２１０と対向する位置にある。一次コイル１４３へ通電を行うと、一次コイル１４３と二次コイル２１０とを通る磁束が生じて、電磁誘導によって二次コイル２１０に電流が発生する。一次コイル１４３と二次コイル２１０とは、電磁誘導可能な距離となるように、ハンディスキャナ２００を装着する台座部１４１の凹部の位置が設定されている。
【００２２】
図５は、プリンタ１００の内部構成を示す概略図である。
プリンタ１００の内部には、サーマルヘッド１５１と、プラテンローラ１５２と、用紙センサ１５３と、制御部１６０と、電源回路１７０とが設けられている。
【００２３】
ラベル連続体１は、ロール状に巻き回された状態で用紙供給部１０２に回転自在に支持され、用紙供給部１０２からサーマルヘッド１５１とプラテンローラ１５２との間に供給される。ラベル連続体１には、不図示のラベルが帯状の台紙に所定間隔で搬送方向に沿って並べて配置されている。このラベルは、感熱紙により形成されており、一定以上の熱を加えることにより発色する感熱層が設けられている。なお、本実施形態では、感熱紙を用いるプリンタを例に挙げて説明したが、インクリボンを用いるプリンタであってもよい。また、ラベル連続体１の裏面側には、ラベルが仮着されている間隔と一致した間隔でラベル連続体１の裏面（台紙側）に印刷されているアイマークと称される黒の矩形のマークが設けられている。
【００２４】
サーマルヘッド１５１は、発熱体がプラテンローラ１５２に対向する面に形成されており、制御部１６０により制御されて発熱体が選択的に発熱を行う。
【００２５】
プラテンローラ１５２は、サーマルヘッド１５１と対向する位置に設けられている。
プリンタ１００は、サーマルヘッド１５１とプラテンローラ１５２との間にラベル連続体１を狭持して搬送しながら、サーマルヘッド１５１の発熱体を選択的に発熱させることにより、ラベル連続体１の感熱層を発色させて所望の文字、バーコード等の印刷を行う。
【００２６】
用紙センサ１５３は、ラベル連続体１の裏面側に設けられたアイマークを検出し、アイマークの検出信号を出力するセンサである。アイマークの検出信号は、用紙センサ１５３から制御部１６０に入力される。制御部１６０は、アイマークの検出信号に基づく印刷タイミングで、サーマルヘッド１５１と、プラテンローラ１５２を回転駆動する駆動モータＭ（図６参照）とを制御して印刷を行う。
【００２７】
制御部１６０は、上述したように、サーマルヘッド１５１及び駆動モータＭ等の制御を行う。
図６は、制御部１６０の概略を示すブロック図である。
制御部１６０は、ＲＯＭ（ｒｅａｄ  ｏｎｌｙ  ｍｅｍｏｒｙ）１６１と、ＣＰＵ（ｃｅｎｔｒａｌ  ｐｒｏｃｅｓｓｉｎｇ  ｕｎｉｔ）１６２と、ＲＡＭ（ｒａｎｄｏｍ  ａｃｃｅｓｓ  ｍｅｍｏｒｙ）１６３と、プラテン制御回路１６４と、ヘッド制御回路１６５と、用紙センサ制御回路１６６とを備えている。
【００２８】
ＲＯＭ１６１は、所定の制御プログラムとフォントデータを記憶している。
【００２９】
ＣＰＵ１６２は、ＲＯＭ１６１に記憶されている制御プログラムにしたがって動作し、各部を制御する。
【００３０】
ＲＡＭ（ｒａｎｄｏｍ  ａｃｃｅｓｓ  ｍｅｍｏｒｙ）１６３は、ＣＰＵ１６２が動作する上で必要となる各種データを記憶する。
【００３１】
プラテン制御回路１６４は、プラテンローラ１５２を駆動する駆動モータＭにパルス信号等の駆動信号を供給し、駆動モータＭを回転させる。
【００３２】
ヘッド制御回路１６５は、ＣＰＵ１６２からの指示に基づいてサーマルヘッド１５１に印刷動作を行わせる。
【００３３】
用紙センサ制御回路１６６は、ＣＰＵ１６２の制御下、用紙センサ１５３からアイマークの検出信号を受け取り、デジタルのデータに変換することでマーク検出信号としてＣＰＵ１６２に供給する。
【００３４】
制御部１６０には、パーソナルコンピュータ等のホストが外部インタフェース（外部Ｉ／Ｆ）１６７を介して接続され、外部Ｉ／Ｆ１６７を介して、外部に接続されたホストとの間で各種データやコマンドの送受信を行うことができるようになっている。また、制御部１６０には、入力部１２１と、表示部１１０と、ＬＥＤ１２２とがインタフェース（Ｉ／Ｆ）１６８を介して接続されている。入力部１２１から入力された入力データは、Ｉ／Ｆ１６８を介して制御部１６０に供給される。また、表示部１１０と、ＬＥＤ１２２とに表示される各種情報に対応する表示データは、Ｉ／Ｆ１６８を介して制御部１６０より供給される。
【００３５】
図５に戻って、電源回路１７０は、プリンタ１００の駆動モータＭ，サーマルヘッド１５１や制御部１６０等への電力供給と、充電部１４０への電力供給とを行う。
図７は、電源回路１７０の概要を示す図である。
ＡＣ電源へ接続されている電力線は、電源スイッチ（ＭＳＷ）１３０の前で２分岐している。一方は、電源スイッチ１３０を介してトランス（Ｔ１）１７１へ接続されている。他方は、電源スイッチ１３０を介さずに直接、トランス（Ｔ２）１７４へ接続されている。
【００３６】
トランス（Ｔ１）１７１からは、ＡＣ／ＤＣコンバータ１７２を介した２４Ｖの直流電力と、ＡＣ／ＤＣコンバータ１７３を介した５Ｖの直流電力とが出力される。２４Ｖの直流電力は、駆動モータＭ及びサーマルヘッド１５１等の電力として用いられ、５Ｖの直流電力は、制御部１６０等の電力として用いられる。
【００３７】
トランス（Ｔ２）１７４は、一次コイル１４３へ接続され、また、ＡＣ／ＤＣコンバータ１７５を介して給電制御回路１８０へ接続されている。
図８は、給電制御回路１８０の概要を示す図である。
検出スイッチ１４２がハンディスキャナ２００の装着を検出してＯＮされると、リレーコイル１８４に通電されて、これに連動して、リレーのａ接点１８１，１８２，１８３がＯＮする。これにより、一次コイル１４３への給電が開始される。一次コイル１４３への給電が開始されると、タイマーコイル１８６が計時を開始し、所定時間（例えば、１時間から６時間等、充電に必要な所定時間）経過すると、タイマーのｂ接点１８５がＯＦＦになり、一次コイル１４３への給電が停止される。
【００３８】
以上説明したように、本実施形態によれば、プリンタ１００にハンディスキャナ２００の充電機能を設けたので、広範囲で使用可能なハンディスキャナを簡単に充電できる。また、プリンタ１００の電源スイッチ１３０をＯＦＦした状態であっても、充電を行えるので、プリンタ１００の使用状況を気にせずに、必要なときに簡単に充電を開始できる。さらに、検出スイッチ１４２を設けているので、不要な給電が防止され、安全性も高めることができる。
【００３９】
（変形形態）
以上説明した実施形態に限定されることなく、種々の変形や変更が可能であって、それらも本発明の範囲内である。
【００４０】
実施形態において、非接触充電を行う例を挙げて説明した。これに限らず、例えば、接点を用いて充電を行う接触式の充電を行うようにしてもよい。
【００４１】
なお、本発明は、以上説明した各実施形態によって限定されることはない。
【符号の説明】
【００４２】
１      ラベル連続体
１００  プリンタ
１０１  排出口
１０２  用紙供給部
１１０  表示部
１２１  入力部
１２２  ＬＥＤ
１３０  電源スイッチ
１４０  充電部
１４１  台座部
１４２  検出スイッチ
１４３  一次コイル
１５１  サーマルヘッド
１５２  プラテンローラ
１５３  用紙センサ
１６０  制御部
１６１  ＲＯＭ
１６２  ＣＰＵ
１６４  プラテン制御回路
１６５  ヘッド制御回路
１６６  用紙センサ制御回路
１７０  電源回路
１７２，１７３，１７５  ＡＣ／ＤＣコンバータ
１８０    給電制御回路
１８１，１８２，１８３  リレーのａ接点
１８４    リレーコイル
１８５    タイマーのｂ接点
１８６    タイマーコイル
２００    ハンディスキャナ
２１０    二次コイル
【図１】
0006045810.tif 000002
【図２】
0006045810.tif 000003
【図３】
0006045810.tif 000004
【図４】
0006045810.tif 000005
【図５】
0006045810.tif 000006
【図６】
0006045810.tif 000007
【図７】
0006045810.tif 000008
【図８】
0006045810.tif 000009